(57)【要約】      （修正有）【課題】箱を製作するための折り紙で、折る位置の目安となるガイド線又はガイド点をあらかじめ紙に印刷し、誰でも正確に位置通り早く折ることができるとともに、ガイドを最小限に備える折り紙用紙を提供する。【解決手段】蓋用の折り紙用紙１の一の面は、蓋用の折り紙用紙の中心に一のガイド点１０１と、蓋用の折り紙用紙の四辺に沿って平行に幅がそれぞれ等間隔に設けた四本のガイド外線１０２ａ、１０２ｂ、１０２ｃ、１０２ｄと、隣接する前記ガイド線の中点を結ぶ四本のガイド内線１０３ａ、１０３ｂ、１０３ｃ、１０３ｄとを備え、箱本体用の折り紙用紙２の一の面は、折り紙用紙の中央近傍にその中心から等間隔で四辺に対して平行に設けられた四本のガイド小線２０２ａ、２０２ｂ、２０２ｃ、２０２ｄと、該四本のガイド小線のうち少なくとも一の対向するガイド小線の両端から直角に、中心と四隅とを結ぶ対角線に向けて結ぶガイド補線２０３ａ、２０３ｂ、２０３ｃ、２０３ｄとを備える。【選択図】図２
0003224653.tif 000002
【実用新案登録請求の範囲】
【請求項１】
蓋と箱本体とからなる箱を作るための二枚の正方形の折り紙用紙であって、
前記蓋用の折り紙用紙の一の面は、前記蓋用の折り紙用紙の中心に一のガイド点と、前記蓋用の折り紙用紙の四辺に沿って平行に幅がそれぞれ等間隔に設けた四本のガイド外線と、隣接する前記ガイド線の中点を結ぶ四本のガイド内線とを備え、
前記箱本体用の折り紙用紙の一の面は、折り紙用紙の中央近傍にその中心から等間隔で四辺に対して平行に設けられた四本のガイド小線と、該四本のガイド小線のうち少なくとも一の対向するガイド小線の両端から直角に、中心と四隅とを結ぶ対角線に向けて結ぶガイド補線とを備え、
折る位置のガイドとして、前記ガイド点、前記ガイド外線、前記ガイド内線、前記ガイド小線、前記ガイド補線を利用して折り畳みを進めていくことにより、前記箱の蓋と前記箱の本体とが形成されることを特徴とする二枚の正方形の折り紙用紙。
【考案の詳細な説明】
【技術分野】
【０００１】
本考案は、本考案は、折り紙に関し、特に、身体障がい者や知的障がい者でも簡単かつ綺麗に完成させることができる折り紙用紙に関する。
【背景技術】
【０００２】
従来、折り紙は、例えば正方形の紙を次々に折り畳むことにより、折り鶴などが完成する遊具として広く知られている。折り紙を折るには、一般に、折り紙を折り進める工程が図面入りで解説されたマニュアル等を参照しながら、このマニュアルにしたがって折り進め、最終的に目的の造形物を完成させたり、折り方を記憶している人から折り順等を教わりながら折り進めて完成させたりする。
【０００３】
しかしながら、身体障がい者や知的障がい者には、折るという作業が難しいことが少なくない。例えば、紙をまっすぐに折ることや角同士をあわせることが苦手であったりするからである。
【０００４】
このような課題の解決については、いくつかの提案がなされている。
まず、特許文献１に係る考案においては、折り紙に、折る場所を示す折り線と、折る順番を示す数字やマークが表示されたものが提案されており、手指の力がある程度あり、折る作業は問題なくできるという場合、この折り紙を使えば、折る順番で迷うことなく、作品を完成させることができる。
特許文献２の考案には、紙面上に現れる折り案内にしたがって折り畳み操作を進めていくことにより所望の形状が具象化される折り紙が提案されており、折り案内は、折り位置および折り目の種類を表わす折り線と、該折り線の近傍に位置し、折り畳み操作の順序を示す折り順とからなり、折り線および折り順は、時間の経過とともに消色するインキにより印刷されていることを特徴とするものである。
特許文献３の考案には、折り紙に、切り込み又は小穴を直線上に複数設けたガイド線と、ガイド線を挟んで、該ガイド線から直交方向に等距離の位置に対になるよう表示された１対のガイドマークと、からなる折り紙が開示されている。
【先行技術文献】
【特許文献】
【０００５】
【特許文献１】特開２０１２−６１０１５号公報
【特許文献２】実用新案登録第３０８５０３５号公報
【特許文献３】実用新案登録第３２１４０４６号公報
【考案の概要】
【考案が解決しようとする課題】
【０００６】
ところが、特許文献１に開示されている折り紙においては、折り紙に、折る場所を示す折り線と、折る順番を示す数字やマークが表示されているため、完成品の一部にこれらの表示が顕れるような作品の場合には、見栄えが悪いという問題がある。
また、特許文献２に開示されている折り紙は、折り線および折り順は、時間の経過とともに消色するインキにより印刷されているので、特許文献１のような見栄えの悪さという問題は解決するものの、折り紙を折るタイミングが遅くなれば、折り紙を折る時点ですでに折り線や折り順が消えてしまっている場合もありうるという問題がある。
特許文献３に開示されている折り紙は、切込みや小穴があるため、作品の見栄えに問題が生じる場合がある。
【０００７】
本考案は、このような問題に鑑み、箱を製作するための折り紙用紙であって、折る位置の目安となるガイド線又はガイド点をあらかじめ紙に印刷し、誰でも正確に位置通り早く折ることができるとともに、箱以外の用途に汎用できるよう、ガイドを最小限にした折り紙用紙を提供することを目的とする。
【課題を解決するための手段】
【０００８】
上記問題を解決するために、蓋と箱本体とからなる箱を作るための二枚の正方形の折り紙用紙であって、
蓋用の折り紙用紙の一の面は、蓋用の折り紙用紙の中心に一のガイド点と、蓋用の折り紙用紙の四辺に沿って平行に幅がそれぞれ等間隔に設けた四本のガイド外線と、隣接する前記ガイド線の中点を結ぶ四本のガイド内線とを備え、
箱本体用の折り紙用紙の一の面は、折り紙用紙の中央近傍にその中心から等間隔で四辺に対して平行に設けられた四本のガイド小線と、該四本のガイド小線のうち少なくとも一の対向するガイド小線の両端から直角に、中心と四隅とを結ぶ対角線に向けて結ぶガイド補線とを備え、
折る位置のガイドとして、ガイド点、ガイド外線、ガイド内線、ガイド小線、ガイド補線を利用して折り畳みを進めていくことにより、箱の蓋と箱の本体とが形成されることを特徴とする。
【考案の効果】
【０００９】
本考案に係る折り紙は、健常者のみならず、身体障がいや知的障がいを抱えた人でも正確に折ることができるという効果がある。また、当該折り紙を折って完成した箱は、折り紙玩具として家庭で楽しむことができるだけでなく、不要な折り目が現れず、意匠として美観を呈するので、商品化することも可能である。例えば、透明な球に入れて「ガチャガチャ」と言われる商品とすることができる。
【００１０】
さらに、ガイドとなる線や点は最小限であるので、箱以外の作品を製作することも可能である。
【図面の簡単な説明】
【００１１】
【図１】本考案に係る２枚の折り紙用紙を折って完成した箱を示す図である。
【図２】本考案に係る２枚の折り紙用紙の裏面を示す図である。
【図３】本考案に係る、箱の蓋に使用する折り紙用紙の裏面と表面を示す図である。
【図４】本考案に係る箱の蓋に使用する折り紙用紙を折って、箱の蓋を完成させるための折り目を加える一の手順を示す図である。
【図５】本考案に係る箱の蓋に使用する折り紙用紙を折って、箱の蓋を完成させるための折り目を加える一の手順を示す図である。
【図６】本考案に係る箱の蓋に使用する折り紙用紙を折って、箱の蓋を完成させるための折り目を加える一の手順を示す図である。
【図７】本考案に係る箱の蓋に使用する折り紙用紙を折って、箱の蓋を完成させるための折り目を加える一の手順を示す図である。
【図８】本考案に係る箱の蓋に使用する折り紙用紙を折って、箱の蓋を完成させるための折り目を加える一の手順を示す図である。
【図９】本考案に係る、箱の蓋に使用する折り紙について、一から五の手順で折り紙に付された折り線を示す図である。
【図１０】本考案に係る、箱の本体に使用する折り紙の裏面と表面を示す図である。
【図１１】本考案に係る箱の本体に使用する折り紙用紙を折って、箱の蓋を完成させるための折り目を加える一の手順を示す図である。
【図１２】本考案に係る箱の本体に使用する折り紙用紙を折って、箱の蓋を完成させるための折り目を加える一の手順を示す図である。
【図１３】本考案に係る箱の本体に使用する折り紙用紙を折って、箱の蓋を完成させるための折り目を加える一の手順を示す図である。
【図１４】本考案に係る、箱の本体に使用する折り紙について、一から三の手順で折り紙に付された折り線を示す図である。
【考案を実施するための形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。
【００１４】
図１は、本考案に係る２枚の折り紙用紙１、２を折って完成した箱ＡＢを示す図である。図１（ａ）は、完成した箱ＡＢ、図１（ｂ）は、完成した箱の蓋Ａ、図１（ｃ）は、完成した箱の本体Ｂを示している。図１（ａ）及び（ｂ）に示すとおり、箱の蓋Ａには、リボン様の意匠Ｒが施されている。なお、折り紙用紙１、２には、それぞれ表面１１、２１と裏面１０、２０があり、表面１１、２１を示す部分（実線で囲まれた範囲）に星の印を記載して、裏面１０、２０と区別して示している。
【００１５】
図２を参照する。図２は、本考案に係る２枚の折り紙用紙の裏面１０、２０を示す図である。より詳細には、図２（ａ）は、箱の蓋Ａ用の折り紙用紙１の裏面１０、図２（ｂ）は、箱の本体Ｂ用の折り紙用紙２の裏面２０を示している。
図２（ａ）に示すとおり、蓋Ａ用の折り紙用紙１の裏面１０は、中心に一のガイド点１０１と、折り紙用紙１の四辺に沿って平行に幅がそれぞれ等間隔に設けた四本のガイド外線１０２ａ、１０２ｂ、１０２ｃ、１０２ｄと、隣接するガイド線１０２ａ、１０２ｂ、１０２ｃ、１０２ｄの中点を結ぶ四本のガイド内線１０３ａ、１０３ｂ、１０３ｃ、１０３ｄとを備える。
図２（ｂ）に示すとおり、箱本体Ｂ用の折り紙用紙２の裏面２０は、その中央近傍に中心から等間隔で四辺に対して平行に設けられた四本のガイド小線２０２ａ、２０２ｂ、２０２ｃ、２０２ｄと、該四本のガイド小線２０２ａ、２０２ｂ、２０２ｃ、２０２ｄのうち一の対向するガイド小線２０２ｂ、２０２ｄの両端から直角に、中心と四隅とを結ぶ対角線に向けて結ぶガイド補線２０３ａ、２０３ｂ、２０３ｃ、２０３ｄとを備える。
以上のとおり、本考案に係る折り紙用紙１、２について、折る位置のガイドとして、ガイド点１０１、ガイド外線１０２ａ、１０２ｂ、１０２ｃ、１０２ｄ、ガイド内線１０３ａ、１０３ｂ、１０３ｃ、１０３ｄ、ガイド小線２０２ａ、２０２ｂ、２０２ｃ、２０２ｄ、ガイド補線２０３ａ、２０３ｂ、２０３ｃ、２０３ｄを利用して折り畳みを進めていくことにより、箱の蓋Ａと箱の本体Ｂとが形成される。
【００１６】
図３を参照する。図３（ａ）は、本考案に係る箱の蓋Ａに使用する折り紙用紙１の裏面１０、図３（ｂ）は、表面１１を示す図である。図３（ａ）は、図２（ａ）と同一の図であり、表面１１には、表面であることを示す星印が記されている。
【００１７】
図４ないし８を参照する。図４ないし８は、それぞれ、本考案に係る箱の蓋Ａに使用する折り紙用紙１を折って、箱の蓋Ａを完成させるための折り目を加える手順を示す図である。以下、その手順を詳細に示す。
【００１８】
図４を参照する。まず、折り紙用紙１を表面１１にして、裏面１１のガイド外線１０２ａを折り目に山折りする（図４（ａ））。以下、同様に、ガイド外線１０２ｂ、１０２ｃ、１０２ｄを折り目に山折りする（図４（ｂ）、（ｃ）、（ｄ））。
図５を参照する。図４の手順により、折り紙用紙１の裏面１０の四辺縁部分が表面１１に折り曲げられた状態であるが、それらの重なりあった四隅をそれぞれ引っ張り上げて（図５（ａ））、引っ張り上げた部分の隙間を広げる（図５（ｂ））。このように、図５（ｂ）に示す、折り紙用紙１の表面１０の四隅に広げられた部分が、図１（ａ）及び（ｂ）に示すリボン様の意匠部分Ｒとなる。
図６を参照する。図５（ｂ）の状態の折り紙用紙１を裏返す（図６（ａ））。そして、ガイド内線１０３ｄを折り目に谷折りする（図６（ｂ））。以下、同様に、ガイド内線１０３ａ、１０３ｂ、１０３ｃを折り目に谷折りする（図６（ｂ））。
図７を参照する。図６（ｂ）の状態の折り紙用紙１を裏返す（図７（ａ））。そして、折り目Ｗ（図７（ｂ））を谷折りする（図７（ｃ））。ここで、図６（ｂ）の状態に折り紙用紙１の中心がはっきりあるので、折り目Ｗは図６（ｂ）の状態で折り目をつけてから裏返すとよい。以下、同様に、折り目Ｗを山折りする（図７（ｄ））。
図８を参照する。図７（ｄ）の状態の折り紙用紙１の各四辺をざぶとん折りして折り目をつける（図８（ａ）、（ｂ）、（ｃ）、（ｄ））。
【００１９】
図９は、上記手順により折り目がつけられた状態を図７（ａ）に示した図である。この折り目に従って、伝承折り紙の手法で箱の蓋Ａを折ることができる。
【００２０】
図１０を参照する。図１０は、図１０（ａ）は、本考案に係る箱の本体Ｂに使用する折り紙用紙２の裏面２０、図１０（ｂ）は、表面２１を示す図である。図１０（ａ）は、図２（ｂ）と同一の図であり、表面２１には、表面であることを示す星印が記されている。
【００２１】
図１１ないし１３を参照する。図１１ないし１３は、それぞれ、本考案に係る箱の本体Ｂに使用する折り紙用紙２を折って、箱の本体Ｂを完成させるための折り目を加える手順を示す図である。以下、その手順を詳細に示す。
【００２２】
図１１を参照する。まず、折り紙用紙２を裏面２０にして、図に向かって表面２１の左下隅部分が、裏面２０のガイド小線２０２ａとガイド補線２０３ｄとの間に収まるよう山折りする（図１１（ａ））。以下、同じ要領で、表面２１の隅部分が裏面２０のガイド小線とガイド補線との間に収まるよう山折りする（図１１（ｂ））。
図１２を参照する。まず、図１１（ｂ）の状態の折り紙用紙２において、図に向かって下隅部分が、ガイド補線２０３ａとガイド補線２０３ｄとの間に収まるようざぶとん折りして折り目をつける（図１２（ａ））。以下、同じ要領で、他の隅部分がガイド補線とガイド補線との間に収まるようざぶとん折りして折り目をつける（図１２（ｂ）、（ｃ））。
図１３を参照する。図１１（ｂ）の状態の折り紙用紙２を裏返す（図１３（ａ））。そして、図１２でつけた折り目で、四隅をざぶとん折りして折り目をつける（図１３（ａ）、（ｂ）、（ｃ）、（ｄ））。
【００２３】
図１４は、上記手順により折り目がつけられた状態を図１０（ｂ）に示した図である。この折り目に従って、伝承折り紙の手法で箱の本体Ｂを折ることができる。
【００２４】
こうして、図１に示した、完成した箱の蓋Ａ、完成した箱の本体Ｂを合わせた箱ＡＢが完成する。完成した箱ＡＢには、不要な折り目が現れず、意匠として優れる。
【００２５】
以上、本考案に係る折り紙用紙における好ましい実施形態を図示して説明してきたが、本考案の技術的範囲を逸脱することなく種々の変更が可能であることは理解されるであろう。
【産業上の利用可能性】
【００２６】
本考案に係る折り紙用紙を折って完成した箱は、不要な折り目が現れないので、折り紙玩具として家庭で楽しむだけでなく、例えば、透明な球状ケースに入れて「ガチャガチャ」と呼ばれる玩具の商品として販売する等利用することができる。また、ガイドとなる線や点は最小限であるので、箱以外の作品を製作することも可能である。
【符号の説明】
【００２７】
１  蓋用折り紙用紙
２  箱本体用折り紙用紙
１０  ２０  折り紙の裏面
１１  ２１  折り紙の表面
１０１  ガイド点
１０２ａ  １０２ｂ  １０２ｃ  １０２ｄ  ガイド外線
１０３ａ  １０３ｂ  １０３ｃ  １０３ｄ  ガイド内線
２０２ａ  ２０２ｂ  ２０２ｃ  ２０２ｄ  ガイド小線
２０３ａ  ２０３ｂ  ２０３ｃ  ２０３ｄ  ガイド補線
Ａ  箱の蓋
Ｂ  箱の本体
ＡＢ  完成箱
Ｒ  リボン様部分
【図１】
0003224653.tif 000003
【図２】
0003224653.tif 000004
【図３】
0003224653.tif 000005
【図４】
0003224653.tif 000006
【図５】
0003224653.tif 000007
【図６】
0003224653.tif 000008
【図７】
0003224653.tif 000009
【図８】
0003224653.tif 000010
【図９】
0003224653.tif 000011
【図１０】
0003224653.tif 000012
【図１１】
0003224653.tif 000013
【図１２】
0003224653.tif 000014
【図１３】
0003224653.tif 000015
【図１４】
0003224653.tif 000016